(57)【特許請求の範囲】
【請求項１】
遊技に使用された遊技価値数である使用遊技価値数を特定可能な使用数信号、及び遊技者に付与した遊技価値数である付与遊技価値数を特定可能な付与数信号を含む遊技信号を出力する遊技機の遊技情報を表示する遊技情報表示システムであって、
前記遊技信号の入力に基づいて、前記使用遊技価値数と前記付与遊技価値数との差である差数を算出する差数算出手段と、
前記差数算出手段の算出結果を複数日に亘って記憶する記憶手段と、
遊技者が前日以前における所定の時期を選択するための選択操作手段と、
前記記憶手段が記憶した情報に基づいて、前記差数の推移を示す差数推移グラフを表示可能であり、さらに当日の差数推移グラフと、前記選択操作手段により選択された所定の時期における差数推移である過去の差数推移グラフとを重ねて表示する差数推移表示手段と、
前記差数推移表示手段が前記当日の差数推移グラフと前記過去の差数推移グラフとを重ねて表示した状態から、遊技者がスライドボタンを操作すると前記差数推移グラフのスライドオン及びスライドオフの設定を遊技者が切替えることが可能になり、スライドオンを設定した差数推移グラフを時間軸方向にスライドするために遊技者が操作するスライド操作手段と、
前記スライド操作手段の操作に応じて前記差数推移グラフを時間軸方向にスライドするスライド手段と、を備え、
遊技者が前記スライドボタンを操作した直後は、前記当日の差枚推移グラフをスライドオフに設定する一方、前記過去の差枚推移グラフをスライドオンに設定することを特徴とする遊技情報表示システム。
【請求項２】
前記差数推移表示手段は、前記当日の差数推移グラフと前記過去の差数推移グラフとして複数日の連続した差数推移グラフとを重ねて表示し、
前記スライド手段は、前記当日の差数推移グラフ又は前記複数日の連続した差数推移グラフを時間軸方向にスライドすることを特徴とする請求項１に記載した遊技情報表示システム。
【発明の詳細な説明】
【技術分野】
【０００１】
本発明は、遊技に使用された遊技価値数である使用遊技価値数と、遊技者に付与した遊技価値数である付与遊技価値数との差である差数の推移を表示する遊技情報表示システムに関する。
【背景技術】
【０００２】
従来、遊技者が出玉状況を容易に把握可能とするために、縦軸を差数とし、横軸を時間又は使用玉数とした差数推移グラフを表示する表示装置が知られている（例えば特許文献１）。又、当日の現在までの差数推移に近似する過去のデータを抽出し、これらの差数推移グラフを重ねて表示することで、今後の差数推移を予測させるものも考案されている（例えば特許文献２）。
【先行技術文献】
【特許文献】
【０００３】
【特許文献１】特開平０７−０２４１２３号公報
【特許文献２】特開２００６−１４９５３７号公報
【発明の概要】
【発明が解決しようとする課題】
【０００４】
しかしながら、近似する過去のデータを抽出するのは遊技場側であるから、遊技者は遊技場側の作為を感じ、素直に受け入れることができず、遊技の興趣を高めることは困難であった。
【０００５】
本発明は、上記した事情に鑑みてなされたものであり、その目的は、出玉状況を容易に把握可能な差数推移を遊技者が自由に受け入れられるようにし、遊技の興趣を高めることができる遊技情報表示システムを提供することにある。
【課題を解決するための手段】
【０００６】
請求項１に記載した発明は、遊技に使用された遊技価値数である使用遊技価値数を特定可能な使用数信号、及び遊技者に付与した遊技価値数である付与遊技価値数を特定可能な付与数信号を含む遊技信号を出力する遊技機の遊技情報を表示する遊技情報表示システムであって、前記遊技信号の入力に基づいて、前記使用遊技価値数と前記付与遊技価値数との差である差数を算出する差数算出手段と、前記差数算出手段の算出結果を複数日に亘って記憶する記憶手段と、遊技者が前日以前における所定の時期を選択するための選択操作手段と、前記記憶手段が記憶した情報に基づいて、前記差数の推移を示す差数推移グラフを表示可能であり、さらに当日の差数推移グラフと、前記選択操作手段により選択された所定の時期における差数推移である過去の差数推移グラフとを重ねて表示する差数推移表示手段と、前記差数推移表示手段が前記当日の差数推移グラフと前記過去の差数推移グラフとを重ねて表示した状態から、遊技者がスライドボタンを操作すると前記差数推移グラフのスライドオン及びスライドオフの設定を遊技者が切替えることが可能になり、スライドオンを設定した差数推移グラフを時間軸方向にスライドするために遊技者が操作するスライド操作手段と、前記スライド操作手段の操作に応じて前記差数推移グラフを時間軸方向にスライドするスライド手段と、を備え、遊技者が前記スライドボタンを操作した直後は、前記当日の差枚推移グラフをスライドオフに設定する一方、前記過去の差枚推移グラフをスライドオンに設定することを特徴とする。
【０００８】
請求項２に記載した発明は、前記差数推移表示手段は、前記当日の差数推移グラフと前記過去の差数推移グラフとして複数日の連続した差数推移グラフとを重ねて表示し、前記スライド手段は、前記当日の差数推移グラフ又は前記複数日の連続した差数推移グラフを時間軸方向にスライドすることを特徴とする。
【発明の効果】
【０００９】
請求項１に記載した発明によれば、遊技者が前日以前における所定の時期を選択するために選択操作手段を操作すると、当日の差数推移グラフと、その遊技者が選択操作手段により選択した所定の時期における差数推移である過去の差数推移グラフとを差数推移表示手段により重ねて表示するようにしたので、当日の差数推移グラフと、遊技者が任意に選択した所定の時期における差数推移グラフとを容易に照合して把握することができ、遊技の興趣を高めることができる。
【００１０】
又、遊技者が当日の差数推移グラフと過去の差数推移グラフとのうち一方の差数推移グラフを時間軸方向にスライドするためにスライド操作手段を操作すると、そのスライド操作手段により指定された一方の差数推移グラフをスライド手段により時間軸方向にスライドするようにしたので、当日の差数推移グラフと過去の差数推移グラフとを時刻を異ならせて容易に照合して把握することができる。即ち、遊技者の中には、差数が時刻に関係して推移すると考える者もいれば、差数が時刻に関係なく一定の周期で推移すると考える者もおり、従来のように当日の差数推移グラフと過去の差数推移グラフとを時刻を揃えて表示する構成では、後者の遊技者の要望に応えることができないが、上記したように一方の差数推移グラフを時間軸方向にスライドすることで、後者の遊技者の要望にも応えることができる。
【００１１】
請求項２に記載した発明によれば、当日の差数推移グラフと過去の差数推移グラフとして複数日の連続した差数推移グラフとが差数推移表示手段により重ねて表示し、当日の差数推移グラフ又は複数日の連続した差数推移グラフを時間軸方向にスライドするようにしたので、当日の差数推移グラフと複数日の連続した差数推移グラフとをより効果的に照合して把握することができる。
【図面の簡単な説明】
【００１２】
【図１】本発明の一実施形態を示す全体構成図
【図２】パチンコ機の正面図
【図３】貸出装置の機能ブロック図
【図４】差数推移グラフを示す図
【図５】図４相当図
【図６】図４相当図
【図７】図４相当図
【図８】図４相当図
【図９】図４相当図
【図１０】図４相当図
【発明を実施するための形態】
【００１３】
以下、本発明の一実施形態について図面を参照して説明する。図１は、遊技情報表示システム１の全体構成を概略的に示している。遊技場内には、複数台の遊技機２が設置されており、各遊技機２に対応して貸出装置３が設置されている。本実施形態では遊技機２としてパチンコ機を想定しており、遊技媒体として玉（所謂パチンコ玉）を想定している。これら遊技機２及び貸出装置３は、２台ずつ中継装置４に接続されている。遊技機２や貸出装置３等から出力される後述する遊技信号は、中継装置４を介して管理装置５に送信される。管理装置５は、遊技場内の例えば事務室等に設置されており、ＬＡＮ６を介して各中継装置４に接続されていると共に、モニタやプリンタ（図示せず）等に接続されている。尚、図１では図示を省略したが、実際には例えば数百台の遊技機２が管理装置５の管理対象となっている。又、遊技場内には、計数装置や管理装置５の管理対象となるスロットマシン等も設置されている。
【００１４】
遊技機２は、所謂パチンコ機として周知の構成であり、図２に示すように、玉を盤面２ａに発射するためのハンドル２ｂ、ランプ２ｃ、スピーカ２ｄ、受皿２ｅ、受皿２ｅから溢れた玉を一時的に貯留する下玉受皿２ｆ等を備えていると共に、盤面２ａには、レール２ｇ、ゲート２ｈ、普図表示部２ｉ、普図保留表示部２ｊ、液晶表示部２ｋ、特図保留表示部２ｌ、始動口２ｍ、大入賞口２ｎ等を備えている。遊技機２は、始動口２ｍへの玉の入賞（始動入賞）に応じて予め設定されている当選確率（大当たり確率）で大当たり抽選を行い、その抽選結果に基づき所謂特別図柄（特図）による図柄変動（単位遊技）を液晶表示部２ｋにて実行し、液晶表示部２ｋに停止表示された図柄が大当たり図柄の場合に大当たり状態を発生させる。尚、始動口２ｍは、ゲート２ｈへの入賞に伴って行われる普図抽選の抽選結果により入賞率が変動する所謂電チュータイプの入賞口である。
【００１５】
又、遊技機２は、図柄変動中に発生した始動入賞に対応する図柄変動を、予め設定された上限値（例えば４個）まで保留可能に構成されている。保留された図柄変動は、その保留数が特図保留表示部２ｌに表示されると共に、実行中の図柄変動の終了後に順次実行される。遊技機２は、大当たり当選となり大当たり状態が発生すると、対応するラウンド数に応じた回数分だけ大入賞口２ｎを開放する。この場合、大当たり状態の終了後に所謂確率変動状態や時短状態になる構成であってもよい。大当たり時に払出しされた玉は、受皿２ｅから溢れると下玉受皿２ｆに貯留される。このように構成された遊技機２及びその周辺機器は、遊技者による玉の打ち込み、始動口２ｍへの始動入賞、遊技者による遊技の進行に伴って、以下に示す遊技信号を出力する。
【００１６】
「アウト信号」：使用玉を回収する図示しないアウトＢＯＸから出力される使用玉数（アウト）を特定可能な信号である。回収玉（使用玉、打込玉）１０玉に対して１パルスが出力されるので、アウト信号数×１０を使用玉数（アウト）として特定する。尚、遊技機２から直接出力される信号であっても良い。アウトは、遊技に使用された遊技価値数である使用遊技価値数であり、アウト信号は、その使用遊技価値数を特定可能な使用数信号である。
【００１７】
「セーフ信号」：遊技機２から出力される払出玉数（セーフ）を特定可能な信号である。払出玉数１０玉に対して１パルスが出力されるので、セーフ信号数×１０を払出玉数（セーフ）として特定する。尚、補給装置（図示省略）から出力される補給信号をセーフ信号としても良い。セーフは、遊技者に付与した遊技価値数である付与遊技価値数であり、セーフ信号は、その付与遊技価値数を特定可能な付与数信号である。
【００１８】
「始動入賞信号」：遊技機２から出力される始動口２ｍへの入賞（始動入賞）を特定可能な信号である。始動口２ｍへの入賞１回につき１パルスが出力されるので、始動入賞信号の入力に応じて始動入賞を特定する。
「図柄変動信号」：始動口２ｍへの始動入賞により変動（作動）を開始する図柄変動（役物作動）を特定可能な信号である。図柄変動の確定時（終了時）に出力されるので、信号入力に応じて図柄変動（スタート）を特定する。尚、図柄変動の開始時に出力される信号であっても良い。
「大当たり信号」：遊技機２から出力される大当たり状態である期間を特定可能な信号である。大当たり状態中にレベル出力されるので、大当たり信号受信中を大当たり状態中として特定する。
【００１９】
貸出装置３は、遊技データを表示するデータ表示部（図３参照）として機能すると共に遊技者からの操作入力を受付けるタッチパネル（図３参照）として機能する液晶表示部３ａ、遊技機２に玉を払出す玉払出口３ｂ、遊技者が貨幣を投入する貨幣投入口３ｃ、返却する貨幣を払出す貨幣返却口３ｄ等を備えている。液晶表示部３ａには、遊技者による遊技の進行に伴って、図柄変動回数（スタート回数）や大当たり確率等の周知の遊技データが表示される。遊技者が貨幣投入口３ｃに貨幣（対価）を投入すると、投入した貨幣に応じた数の玉が玉払出口３ｂから遊技機２の受皿２ｆに払出される。貸出装置３は、以下に示す遊技信号を出力する。
【００２０】
「売上信号」：遊技者に対する貸出玉２５玉毎の１パルスが出力されるので、売上信号数×２５を貸出玉数として特定し、その貸出玉数に貸出単価（例えば４円）を乗じた値を売上額として特定する。
【００２１】
図３は、貸出装置３の電気的な構成を機能ブロック図により示している。貸出装置３は、制御部３ｅ（差数算出手段、記憶手段、スライド手段に相当）、上記したデータ表示部３ｆ（差数推移表示手段に相当）及びタッチパネル３ｇ（選択操作手段、スライド操作手段に相当）を備えている。制御部３ｅは、ＣＰＵ、ＲＯＭ、ＲＡＭ、Ｉ／Ｏ等を有し、予め記憶しているコンピュータプログラムにしたがって作動し、遊技者がタッチパネル３ｇを操作したことに応じて当該タッチパネル３ｇから操作信号を入力すると、その入力した操作信号に応じた表示をデータ表示部３ｆにて行う。
【００２２】
貸出装置３は、対応する遊技機２からアウト信号及びセーフ信号を入力すると、その入力したアウト信号及びセーフ信号に基づいて差数（セーフ−アウト）を算出し、所定時間（例えば２分）毎にドットをデータ表示部３ｆに描画することで、縦軸を差数とし、横軸を時間とした差数推移グラフをデータ表示部３ｆに表示する機能を有すると共に、当日を含めて複数日分（例えば１６日分）の差数推移グラフを記憶する機能を有する。尚、差数推移グラフは、横軸を時間としたグラフに限らず、横軸を使用玉数としたグラフであっても良い。
【００２３】
管理装置５は、ＣＰＵ、ＲＯＭ、ＲＡＭ、Ｉ／Ｏ等を有する制御部、遊技信号を送受信する送受信部等を備え、遊技機２や貸出装置３から入力する遊技信号に基づいて、遊技機２の稼動状態を特定すると共に、遊技機２毎及び遊技機２の機種毎にアウト、セーフ、差数、スタート回数、特賞回数（大当たり回数）、出玉率又は売上等の遊技データを算出して集計する機能を有する。尚、管理装置５が管理する遊技データは上記にて例示したものに限定されない。
【００２４】
次に、上記した構成の作用として、貸出装置３が差数推移グラフをデータ表示部３ｆに表示する態様について、図４乃至図１０も参照して説明する。尚、後述する各種ボタンは遊技者が操作可能に表示される。
【００２５】
貸出装置３は、遊技者が当日（本日）の差数推移グラフを表示するための操作をタッチパネル３ｇにて行うと、図４に示すように、当日の差数推移グラフ１１ａを実線にてグラフ表示領域に表示すると共に、遊技者が過去の複数日の差数推移グラフを選択可能となるように複数日分（図４では当日を含めて６日分である当日から５日前）の過去選択ボタン１２ａ〜１２ｆを表示すると共に、更に先の過去（図４では６日前よりも以前）の複数日の差数推移グラフを選択可能となるようにスクロールボタン１２ｇを表示する。即ち、貸出装置３は、当日から５日前に対応する過去選択ボタン１２ａ〜１２ｆを表示している状態で、遊技者がスクロールボタン１２ｇを操作すると、６日前から１１日前に対応する過去選択ボタンを表示し、その状態で更に遊技者がスクロールボタン１２ｇを操作すると、１２日前から１５日前に対応する過去選択ボタンを表示する。又、貸出装置３は、当日の差数推移グラフ１１ａに対応する時間軸１３ａ（９：００〜２３：００）をグラフ表示領域の下側横軸に表示する。
【００２６】
さて、貸出装置３は、当日の差数推移グラフ１１ａを実線にてグラフ表示領域に表示している状態で、遊技者が何れかの過去選択ボタンを操作する（所定の時期を選択する）と、図５に示すように、グラフ表示領域に既に表示している当日の差数推移グラフ１１ａと重ねて、その選択された日付（図５では４日前）の過去の差数推移グラフ１１ｂを破線にてグラフ表示領域に表示すると共に、スライドボタン１４ａ及び連続ボタン１４ｂを表示する。この場合、貸出装置３は、当日の差数推移グラフ１１ａと過去の差数推移グラフ１１ｂとを遊技者が区別可能となるように例えば色彩を異ならせて表示する。又、貸出装置３は、このように過去の差数推移グラフ１１ｂを破線にてグラフ表示領域に表示すると、過去の差数推移グラフ１１ｂに対応する日付と時間軸１３ｂ（図４では、４日前の９：００〜２３：００）をグラフ表示領域の上側横軸に表示する。
【００２７】
貸出装置３は、当日の差数推移グラフ１１ａと過去の差数推移グラフ１１ｂとを重ねてグラフ表示領域に表示している状態で、遊技者が先に操作した何れかの過去選択ボタンを再度操作すると、表示している過去の差数推移グラフ１１ｂを消去し、図４に示した状態に戻る。
【００２８】
貸出装置３は、当日の差数推移グラフ１１ａと過去の差数推移グラフ１１ｂとを重ねてグラフ表示領域に表示している状態で、遊技者がスライドボタン１４ａを操作すると、図６に示すように、当日の差数推移グラフ１１ａに対応するスライド切替ボタン１５ａを当日の差数推移グラフ１１ａの時間軸１３ａの隣に表示し、過去の差数推移グラフ１１ｂに対応するスライド切替ボタン１５ｂを過去の差数推移グラフ１１ｂの時間軸１３ｂの隣に表示する。又、貸出装置３は、スライドボタン１４ａをスライド解除ボタン１４ｃに切替表示する。
【００２９】
貸出装置３は、遊技者がスライドボタン１４ａを操作した直後では、当日の差数推移グラフ１１ａに対応するスライド切替ボタン１５ａをスライドオフに設定して表示し、過去の差数推移グラフ１１ｂに対応するスライド切替ボタン１５ｂをスライドオンに設定して表示する。貸出装置３は、遊技者がスライド切替ボタン１５ａ及びスライド切替ボタン１５ｂを操作する毎に、スライドオンとスライドオフとを切替え、スライド切替ボタン１５ａをスライドオンに設定している状態では遊技者が当日の差数推移グラフ１１ａをスライド操作することを可能としており、スライド切替ボタン１５ｂをスライドオンに設定している状態では遊技者が過去の差数推移グラフ１１ｂをスライド操作することを可能としている。又、貸出装置３は、遊技者がスライド解除ボタン１４ｃを操作すると、表示しているスライド切替ボタン１５ａ及びスライド切替ボタン１５ｂを消去し、図５に示した状態に戻る。
【００３０】
貸出装置３は、スライド切替ボタン１５ｂをスライドオンに設定している状態で、遊技者が過去の差数推移グラフ１１ｂを左右方向にスライド操作すると、図７に示すように、過去の差数推移グラフ１１ｂを時間軸１３ｂと共にスライドして表示する。図７は、過去の差数推移グラフ１１ｂを６時間分だけ左に（４日前からみて当日に近づく方に）スライドした場合を示している。貸出装置３は、更に遊技者が連続ボタン１４ｂを操作すると、図８に示すように、遊技者がスライド操作したことで新たに出現した日付（図７では３日前）の差数推移グラフ１１ｃを別の破線にてグラフ表示領域に表示し、連続ボタン１４ｂを単日ボタン１４ｄに切替表示する。この場合、貸出装置３は、４日前の差数推移グラフ１１ｂと３日前の差数推移グラフ１１ｃとを遊技者が区別可能となるように例えば色彩を異ならせて表示する。即ち、貸出装置３は、過去の差数推移グラフを日付が跨って表示する際には、遊技者が日付を区別可能となるように表示する。
【００３１】
貸出装置３は、遊技者が１日分をスライド操作すると、図９に示すように、４日前の差数推移グラフ１１ｃ及び５日前の差数推移グラフ１１ｄを時間軸１３ｂと共にスライドして表示する（図９では、３日前の過去の差数推移グラフ１１ｃが消去し、５日前の過去の差数推移グラフ１１ｄが新たに出現する）。
【００３２】
又、貸出装置３は、遊技者がスライド切替ボタン１５ａ及びスライド切替ボタン１５ｂを操作すると、図１０に示すように、スライド切替ボタン１５ａをスライドオフからスライドオンに切替え、スライド切替ボタン１５ｂをスライドオンからスライドオフに切替え、遊技者が当日の差数推移グラフ１１ａを左右方向にスライド操作すると、当日の差数推移グラフ１１ａを時間軸１３ａと共にスライドして表示する。図１０は、当日の差数推移グラフ１１ａを４時間分だけ右にスライドした場合を示している。
【００３３】
以上に説明したように本実施形態によれば、貸出装置３において、縦軸を差数（セーフ−アウト）とし、横軸を時間とした差数推移グラフを複数日に亘って記憶するようにし、当日の差数推移グラフを表示する際に、遊技者が何れかの過去の日付を指定すると、当日の差数推移グラフ１１ａと、その遊技者が選択した過去の差数推移グラフ１１ｂとを重ねて表示するようにしたので、当日の差数推移グラフと、遊技者が任意に選択した何れかの過去の日付における差数推移グラフとを容易に照合して把握することができ、遊技の興趣を高めることができる。
【００３４】
又、遊技者が当日の差数推移グラフ１１ａと過去の差数推移グラフ１１ｂとのうち一方の差数推移グラフを時間軸方向にスライド操作すると、そのスライド操作により指定された一方の差数推移グラフが時間軸方向にスライドするようにしたので、当日の差数推移グラフ１１ａと過去の差数推移グラフ１１ｂとを時刻を異ならせて照合して把握することができる。又、当日の差数推移グラフ１１ａと過去の複数日の連続した差数推移グラフ１１ｂ、１１ｃとを重ねて表示し、当日の差数推移グラフ１１ａ又は複数日の連続した差数推移グラフ１１ｂ、１１ｃを時間軸方向にスライドするようにしたので、当日の差数推移グラフと過去の複数日の連続した差数推移グラフとをより効果的に照合して把握することができる。
【００３５】
本発明は、上記した実施形態にのみ限定されるものではなく、以下のように変形又は拡張することができる。
複数の過去選択ボタンを操作可能することで、複数日分の過去の差数推移グラフを同時に表示するように構成しても良い。例えば当日の差数推移グラフ、１日前の差数推移グラフ、２日前の差数推移グラフを同時に表示しても良いし、当日を含めて過去数日分の差数推移グラフを同時に表示しても良い。又、同時に表示している複数の過去の差数推移グラフのそれぞれをスライド操作可能としても良い。
【００３６】
対象となる遊技機としては、パチンコ機以外にスロットマシンを対象としても良い。又、遊技媒体を用いない、点数による遊技を可能とする所謂封入式の遊技機やクレジット式の遊技機を対象としても良く、これらを考慮し、遊技媒体と点数とを包含して遊技価値と表現する。
遊技機のスペックや設定した値等、例示した全ての数値、桁数、項目等は例示であり、どのような数値を採用しても良い。勿論、その他の遊技情報も、直接的、間接的を問わず適宜最適な特定方法にて特定すれば良い。
貸出装置が行う情報処理の一部を中継装置や管理装置にて行っても良い。即ち、遊技情報表示システムとしては中継装置等を含む広義の遊技情報表示システムの概念も含む。又、中継装置や管理装置を設けず、中継装置や管理装置が行う情報処理を貸出装置にて行っても良い。
【符号の説明】
【００３７】
図面中、１は遊技情報表示システム、２は遊技機、３ｅは制御部（差数算出手段、記憶手段、スライド手段に相当）、３ｆはデータ表示部（差数推移表示手段）、３ｇはタッチパネル（選択操作手段、スライド操作手段）である。
【図１】
0005814053.tif 000002
【図２】
0005814053.tif 000003
【図３】
0005814053.tif 000004
【図４】
0005814053.tif 000005
【図５】
0005814053.tif 000006
【図６】
0005814053.tif 000007
【図７】
0005814053.tif 000008
【図８】
0005814053.tif 000009
【図９】
0005814053.tif 000010
【図１０】
0005814053.tif 000011